(57)【要約】【課題】表示部に表示される画像の一部の色を変化させる機能を備えた表示装置（電子カードなど）において、内蔵されるメモリデバイスのメモリ容量を必要最小限に抑えること。【解決手段】画像を表示する表示部２０と、画像のデータが記憶されるメモリデバイス６０と、メモリデバイス６０に記憶される画像のデータの書き込み及び読み込みを制御すると共に、表示部２０への画像の表示を制御し、かつ色変更制御機能を備えたＣＰＵデバイス４０と、ＣＰＵデバイス４０に電源を供給する電源部５０とを含み、画像のデータは、色変更される変更対象色データと色変更されない非変更色データとから構成され、かつ非変更色データは変更対象色データと異なる色情報に設定されており、ＣＰＵデバイスの色変更制御機能によって変更対象色データが特定の色データに変更されて画像の一部の色が変更される。【選択図】図１
2008200949.tif 000002
【特許請求の範囲】
【請求項１】
画像を表示する表示部と、
前記画像のデータが記憶されるメモリデバイスと、
前記メモリデバイスに記憶される前記画像のデータの書き込み及び読み込みを制御すると共に、前記表示部への前記画像の表示を制御するＣＰＵデバイスとを有する表示装置の色表示変更方法であって、
前記画像のデータは、色変更される変更対象色データと色変更されない非変更色データとから構成され、かつ前記非変更色データは前記変更対象色データと異なる色情報に設定されており、前記変更対象色データを予め決めておき、前記変更対象色データを前記ＣＰＵデバイスによって特定の色データに変更することにより、前記画像の一部の色を変更することを特徴とする表示装置の色表示変更方法。
【請求項２】
前記画像のデータは、外部画像処理装置によって作成され、外部通信手段によって該外部画像処理装置から前記メモリデバイスに書き込まれることを特徴とする請求項１に記載の表示装置の色表示変更方法。
【請求項３】
前記ＣＰＵデバイスには外部信号が入力される外部信号入力部が設けられており、前記外部信号に基づいて、前記ＣＰＵデバイスのプログラムにより色変更制御機能が実行されて前記画像の一部の色が指定の色に変更されることを特徴とする請求項１に記載の表示装置の色表示変更方法。
【請求項４】
画像を表示する表示部と、
前記画像のデータが記憶されるメモリデバイスと、
前記メモリデバイスに記憶される前記画像のデータの書き込み及び読み込みを制御すると共に、前記表示部への前記画像の表示を制御し、かつ色変更制御機能を備えたＣＰＵデバイスと、
前記ＣＰＵデバイスに電源を供給する電源部とを有し、
前記画像のデータは、色変更される変更対象色データと色変更されない非変更色データとから構成され、かつ前記非変更色データは前記変更対象色データと異なる色情報に設定されており、前記ＣＰＵデバイスの前記色変更制御機能によって前記変更対象色データが特定の色データに変更されて前記画像の一部の色が変更されることを特徴とする表示装置。
【請求項５】
前記画像のデータは、外部画像処理装置によって作成され、外部通信手段によって該外部画像処理装置から前記メモリデバイスに書き込まれることを特徴とする請求項４に記載の表示装置。
【請求項６】
前記ＣＰＵデバイスには外部信号が入力される外部信号入力部が設けられており、前記外部信号に基づいて、前記ＣＰＵデバイスのプログラムにより前記色変更制御機能が実行されて前記画像の一部の色が指定の色に変更されることを特徴とする請求項４に記載の表示装置。
【請求項７】
前記メモリデバイスは、揮発性メモリデバイスであることを特徴とする請求項４乃至６のいずれか一項に記載の表示装置。
【請求項８】
メモリデバイスは、前記画像を表示するための基本画像データを記憶できる必要最小限のメモリ容量に設定されていることを特徴とする請求項４乃至６のいずれか一項に記載の表示装置。
【請求項９】
前記画像のデータは、前記表示部を構成する各画素に表示される色にそれぞれ対応する色データからなり、前記ＣＰＵデバイスによって前記色データのうち前記変更対象色データが指定の色に変更されることを特徴とする請求項４乃至６のいずれか一項に記載の表示装置。
【請求項１０】
前記変更対象色データが外部通信手段によって外部画像処理装置から前記ＣＰＵデバイスに入力されて変更対象色が決められることを特徴とする請求項６に記載の表示装置。
【請求項１１】
前記画像は人物部と背景部によって構成される顔画像であり、前記背景部の色は前記人物部を構成する各部分の色と異なる無地色であり、前記背景部の色が変更されることを特徴とする請求項４乃至６のいずれか一項に記載の表示装置。
【請求項１２】
前記ＣＰＵデバイスは、使用期限が設定されるタイマ機能部と、前記使用期限に達したときに前記電源部からの電源を切断する電源スイッチ回路とを備えており、
前記表示装置が発行された時点から所定時間が経過したときに、前記電源が自動的に切られることを特徴とする請求項４乃至６のいずれか一項に記載の表示装置。
【請求項１３】
前記電源部は二次電池からなり、前記表示装置の端部には前記二次電池に電気的に接続されてそれを充電するための充電用電極が設けられていることを特徴とする請求項４乃至６のいずれか一項に記載の表示装置。
【請求項１４】
前記表示部は、反射型液晶表示装置、有機ＥＬディスプレイ又は電子ペーパーから構成されることを特徴とする請求項４乃６のいずれか一項に記載の表示装置。
【発明の詳細な説明】
【技術分野】
【０００１】
本発明は表示装置の色表示変更方法及び表示装置に係り、さらに詳しくは、表示機能付きの入館証（ＩＤカード）などの電子カードに好適に適用できる表示装置の色表示変更方法及び表示装置に関する。
【背景技術】
【０００２】
従来、会社、学校、病院、展示場などでは、来訪者が入館許可者であることを証明するために来訪者に入館証を着用させることによってセキュリティ強化を図っている。近年では、窃盗品や拾得品が悪用されたり、偽造品が使われたりすることを防止するために、来訪者が入館許可者であることを簡単に照合できる顔写真入りの入館証が普及している。
【０００３】
これに関連する技術としては、特許文献１には、属性情報の変更に際しても再発行することなく更新可能にするために、ＩＣカードに書き換え可能なリライト表示部を設けることが記載されている。
【０００４】
また、特許文献２には、期限切れのＩＤカードが悪用されることを防ぐために、光エネルギーによる書き換えが可能で、かつ一定時間内の屋内照明からの受光によって消色状態に変化するフォトクロミック化合物からなるフルカラー画像記録層を設けたＩＤカードが記載されている。
【０００５】
また、特許文献３には、顔写真のすり替えを防止するために、ＩＣカードに顔画像データを表示させる液晶表示装置を設け、そのデータを書き換え可能なＥＥＰＲＯＭや書き換え不可能なＲＯＭに記憶させることが記載されている。
【特許文献１】特開２００１−３１２７１０号公報
【特許文献２】特開２００５−３１２０８号公報
【特許文献３】特開２００５−１００３８０号公報
【発明の開示】
【発明が解決しようとする課題】
【０００６】
ところで、展示場などで使用されるＩＤカードでは、来訪者が各ブースに入るときなどの各種のアクションに応じて、ＩＤカードの表示部に表示される顔画像の一部（背景部など）の色を特定の色に変えることによって、セキュリティ対策を行いながら来訪者の各種管理を行う方法が検討されている。
【０００７】
一般的なＩＤカードでは、表示部に表示されるカラー顔画像の一部の色を変更する機能をもたせる場合、一部の色が相互に異なる複数の顔画像データを全てＩＤカード内のメモリデバイスに記憶させておき、ＣＰＵがメモリデバイスにその都度アクセスして所要の色表示の顔画像を表示部に表示させる方式が採用される場合が多い。
【０００８】
そのような方式では、一部の色が相互に異なる顔画像がｎ個必要な場合は、ｎ個の顔画像データをＩＤカードのメモリデバイスに全て記憶させる必要があるので、色違いの顔画像が多数必要な場合はメモリ容量が膨大になってしまう。そのような大容量のメモリデバイスを小型・薄型のＩＤカードに内蔵させることは困難である。このため、小型・薄型のＩＤカードに内蔵できる程度のメモリ容量のメモリデバイスを使用して、一部の色が相互に異なる多数の顔画像を表示できるＩＤカードが要求される。
【０００９】
本発明は上記した問題点を鑑みて創作されたものであり、表示部に表示される画像の一部の色を変化させる機能を有する表示装置において、内蔵されるメモリデバイスのメモリ容量を最小限に抑えることができる表示装置及びその色表示変更方法を提供することを目的とする。
【課題を解決するための手段】
【００１０】
上記した課題を解決するため、本発明は表示装置に係り、画像を表示する表示部と、前記画像のデータが記憶されるメモリデバイスと、前記メモリデバイスに記憶される前記画像のデータの書き込み及び読み込みを制御すると共に、前記表示部への前記画像の表示を制御するＣＰＵデバイスとを有する表示装置の色表示変更方法であって、前記画像のデータは、色変更される変更対象色データと色変更されない非変更色データとから構成され、かつ前記非変更色データは前記変更対象色データと異なる色情報に設定されており、前記変更対象色データを予め決めておき、前記変更対象色データを前記ＣＰＵデバイスによって特定の色データに変更することにより、前記画像の一部の色を変更することを特徴とする。
【００１１】
本発明の表示装置では、静止画像（顔画像など）を表示する表示部を備えており、メモリデバイスにその画像データが記憶される。ＣＰＵデバイスがメモリデバイスに記憶された画像データの書き込み及び読み込みを制御すると共に、表示部への画像表示を制御する。画像のデータは、色変更される変更対象色データと色変更されない非変更色データから構成され、非変更色データは変更対象色データと異なる色情報に設定されている。また、ＣＰＵデバイスは変更対象色データを指定の色データに変更する色変更制御機能を備えている。
【００１２】
そして、変更対象色データを所定の色情報に予め決めておき、変更対象色データをＣＰＵデバイスの色変更制御機能によって特定の色データに変更することにより、画像の一部の色が変更される。
【００１３】
このような構成とすることにより、メモリデバイスに一部の色が相互に異なる多数の画像データを全て記憶させておく必要はないので、メモリデバイスのメモリ容量を一つ又は数個の基本画像データを記憶できる必要最小限の容量に抑えることができる。
【００１４】
これにより、本発明の表示装置を電子カードに適用する場合は、画像データが記憶されるメモリデバイスの大きさをカード基板に内蔵できる程度に小さくできるので、画像の一部の色を変更できる機能を有する小型・薄型の電子カードを容易に構成できるようになる。
【００１５】
本発明の表示装置は、顔画像が表示される入館証（ＩＤカード）に好適に適用することができる。入館証として適用する場合は、まず、電子カードを発行する際に、外部画像処理装置から外部通信手段によって来訪者の顔画像データがメモリデバイスに書き込まれると共に、顔画像のどの色の部分を変更するかの変更対象色データがＣＰＵデバイスに入力されて変更対象色が決められる。
【００１６】
次いで、電子カードを着用する来訪者が場内を移動するときに、ＣＰＵデバイスに接続された外部信号入力部が場内のゲートなどから発信される外部部信号を受信する。この外部信号に基づいてＣＰＵデバイスのプログラムにより色変更制御機能が実行されて、メモリデバイスの顔画像データのうち変更対象色データが指定された別の色の色データに変更される。これにより、電子カードの表示部から表示される顔画像の一部の色が部分的に変更される。
【００１７】
顔画像は人物部と背景部によって構成され、背景部の色を変更する場合は、背景部の色は人物部を構成する各部分の色と異なる無地色になっており、これによって背景部の色を部分的に違う色に変更することができる。
【００１８】
このようにして、表示部にカラー表示される顔画像の一部の色を変更することにより、セキュリティ対策を行いながら来訪者の各種の管理を行うことができる。
【発明の効果】
【００１９】
以上説明したように、本発明では、画像の一部の色を変更する機能を有する表示装置において、ＣＰＵデバイスに色変更制御機能をもたせることにより、画像データが記憶されるメモリデバイスのメモリ容量を必要最小限に設定できるので、小型・薄型の電子カードを容易に構成することができる。
【発明を実施するための最良の形態】
【００２０】
以下、本発明の実施の形態について、添付の図面を参照しながら説明する。
【００２１】
本実施形態では、表示装置として表示機能付きのＩＤカード（入館証）を例に挙げて説明する。
【００２２】
図１は本発明の実施形態のＩＤカードの構成を示す概略図、図２は同じくＩＤカードに内蔵されたＣＰＵデバイスの構成を示す概略図である。
【００２３】
図１に示すように、本実施形態のＩＤカード１では、カード基板１０に顔画像表示用の液晶表示部２０が設けられている。液晶表示部２０の近傍のカード基板１０にはそれを駆動するためのドライバＩＣ３０が実装されており、ドライバＩＣ３０は液晶表示部２０の走査線（ゲート線）及び信号線（ソース線）に配線５ａを介して接続されている。
【００２４】
また、ドライバＩＣ３０の近傍のカード基板１０にはＣＰＵ（中央処理装置）デバイス４０が実装されており、ＣＰＵデバイス４０は配線５ｂを介してドライバＩＣ３０に接続されている。
【００２５】
また、ＣＰＵデバイス４０の近傍のカード基板１０には、液晶表示部２０などを駆動するための電源部５０が設けられており、電源部５０からＣＰＵデバイス４０に配線５ｃを介して電源が供給される。電源部５０は、充電可能な二次電池又は二重層コンデンサなどからなる。なお、ＩＤカード１の本体外側に電源部５０をＯＮ、ＯＦＦさせる電源スイッチを設けてもよい。
【００２６】
また、ＣＰＵデバイス４０の近傍のカード基板１０には、顔画像のデジタルデータが記憶される揮発性メモリデバイス６０（ＤＲＡＭやＳＲＡＭなど）が実装されており、揮発性メモリデバイス６０は配線５ｄを介してＣＰＵデバイス４０に接続されている。そして、揮発性メモリデバイス６０に記憶された顔画像データがＣＰＵデバイス４０の作用でドライバＩＣ３０に送信され、ドライバＩＣ３０から液晶表示部２０に表示信号が送信されて静止画の液晶画像が表示される。なお、揮発性メモリデバイス６０の代わりに、不揮発性メモリデバイス（ＥＰＲＯＭやフラッシュメモリなど）を用いてもよい。
【００２７】
液晶表示部２０は、太陽光や蛍光灯などの光を反射させて画像を表示する、プラスチックフィルムを素子基板に用いた反射型液晶表示装置から構成され、アクティブマトリクス型であってもよいし、単純マトリクス型であってもよい。
【００２８】
また、液晶表示部２０の代わりに、自発光型の有機ＥＬディスプレイを使用してもよいし、あるいは、電子泳動方式、エレクトロクロミック方式、トナーディスプレイ方式、又はツイストボール方式などの表示方式を利用した電子ペーパーを使用してもよい。
【００２９】
また、ＣＰＵデバイス４０にはＩＤカード１の右側端部に延在する外部接続配線６ａが接続されており、その先端部に外部接続電極１２（外部通信手段）が設けられている。ＩＤカード１を発行する際に、ＩＤカード１が外部画像処理装置（データ処理システム）の入出力部に差し込まれ、外部画像処理装置内のカード着用者の顔画像データが外部接続電極１２（外部通信手段）からＣＰＵデバイス４０を介して揮発性メモリデバイス６０に記憶される。
【００３０】
さらに、電源部５０にはＩＤカード１の右側端部に延在する外部接続配線６ｂが接続されており、その先端部に充電用電極１４が設けられている。同様にＩＤカード１を外部画像処理装置の入出力部に差し込むことにより、充電用電極１４を通して電源部５０を充電できるようになっている。
【００３１】
また、カード基板１の端部には外部信号（光や電波）を受信する外部信号受信部７０が設けられている。外部信号受信部７０は配線５ｅを介してＣＰＵデバイス４０に接続されている。
【００３２】
外部信号受信部７０は外部信号発信部から発信される外部信号（赤外線などの光信号）を受光する受光素子から構成され、受光素子は受光した光信号を電気信号に変換し、その電気信号をＣＰＵデバイス４０に送信する。あるいは、外部信号受信部７０として、リーダ／ライタ（外部通信手段）と非接触通信が可能なＲＦＩＤ(Radio Frequency Identification)機能を搭載してもよい。その場合は、カード基板１０の端部にＣＰＵデバイス４０に接続されるＲＦＩＤ用ＩＣ（不図示）が実装され、カード基板１０にＲＦＩＤ用ＩＣに接続されたループ状のアンテナ（不図示）が内蔵される。
【００３３】
そのようなアンテナを備えたＩＤカード１をリーダ／ライタに近づけると、リーダ／ライタからの電波によって起電力が発生し、この電力を使ってＲＦＩＤ用ＩＣが起動し、リーダ／ライタから送られてくるデータを無線で受信したり、自らのメモリデバイスに記憶されたデータを無線でリーダ／ライタに送信したりすることができる。
【００３４】
図２には図１のＣＰＵデバイス４０の概略構成が示されている。図２に示すように、ＣＰＵデバイス４０は、ＣＰＵ部４０ａと、それに接続された不揮発性メモリ部４０ｂ、揮発性メモリ部４０ｃ、タイマ機能部４０ｄ及び電源スイッチ回路４０ｅとを備えている。不揮発性メモリ部４０ｂ（ＥＰＲＯＭやフラッシュメモリなど）には各種のプログラムが記憶され、ＣＰＵ部４０ａによってそのプログラムが実行される。
【００３５】
揮発性メモリ部４０ｃには、ＩＤカードが発行される際に、カラー表示の顔画像のうちどの色を変えるかの変更対象色データや必要に応じて来訪者の個人情報などが記憶される。そして、外部信号に基づいて、揮発性メモリ部４０ｃに記憶された変更対象色データと、不揮発性メモリ４０ｂに記憶されたプログラムと、ＣＰＵ部４０ａの機能によって、顔画像の色変更対象となる色の部分が違う色に変更される。
【００３６】
タイマ機能部４０ｄは、外部信号に基づくＣＰＵ部４０ａからの指示によってタイマ機能部４０ｄに使用期限が設定される。そして、ＩＤカードが発行された時点からある一定時間が経過すると、タイマ機能部４０ｄから電源スイッチ回路４０ｅにスイッチＯＦＦ信号が送信され、電源スイッチ回路４０ｅの作用によって電源部５０からの電源が切断される。このように、ＩＤカード１が使用期限に達したときに、電源が自動的に切断されて揮発性メモリデバイス６０に記憶された顔画像データ及びＣＰＵデバイス４０の揮発性メモリ部４０ｃに記憶された色情報が消去されるようになっている。
【００３７】
本実施形態のＩＤカード１の特徴の一つは、外部信号受信部７０が受信する外部信号の情報に基づいて、液晶表示部２０に表示される顔画像の一部の色を変えることにあり、ＣＰＵデバイス４０の不揮発性メモリ部４０ｂに色変更制御プログラムが記憶されている。本実施形態では、ＣＰＵデバイス４０の色変更制御機能によって、揮発性メモリデバイス６０内の画像データの一部が置き換えられて顔画像の一部の色が変更される。
【００３８】
従って、顔画像データが記憶される揮発性メモリデバイス６０は、所定のカラー表示の一つ又は数個の基本顔画像データのみを記憶できるメモリ容量を備えていればよいことになる。このように、本実施形態では、揮発性メモリデバイス６０のメモリ容量を小型・薄型のＩＤカードに内蔵できる程度の必要最小限の容量に抑えることができる。
【００３９】
次に、本実施形態のＩＤカード１の機能について、ＩＤカード１を展示場の入館証に適用する場合の運用方法を示しながら説明する。図３は本発明の実施形態のＩＤカードの運用方法を示すフローチャート、図４は本実施形態のＩＤカードと通信する外部画像処理装置を示す模式図、図５は本実施形態のＩＤカードを利用して発行された入館証を示す外観平面図、図６はＩＤカードの液晶表示部に表示された顔画像の一部の色が変更された様子を示す外観平面図である。
【００４０】
図３に示すように、まず、ステップＳ１において、来訪者が展示場の受付に来訪した際に、ＣＣＤカメラなどで来訪者の顔を撮影し、顔画像のデジタルデータを図４に示すような外部画像処理装置２５（データ処理システム）に取り込む。このとき、顔画像の背景部の色が模様のない無地色で、かつ顔画像の人物部（顔部、頭髪部、服部）の色と異なる色になるように、必要に応じて外部画像処理装置２５で顔画像データが修正されて取り込まれる。
【００４１】
また、人物部（顔部、頭髪部、服部）の一部の色を変更する場合は、顔部、頭髪部、服部などの各部分は相互に異なる色になるように、必要に応じて外部画像処理装置２５で顔画像データが修正されて取り込まれる。本実施形態では、ＩＤカード１が発行される際に顔画像の背景部の色が青色で、後に背景部の色が赤色に変更される形態を例示する。
【００４２】
次いで、ステップＳ２において、前述した本実施形態のＩＤカード１を用意する。この時点では、このＩＤカード１は未登録のカードであり、揮発性メモリデバイス６０には顔画像データは格納されていない。そのＩＤカード１を図４の外部画像処理装置２５の入出力部２６に差し込み、ＩＤカード１の外部接続電極１２を入出力部２６に接触させる。
【００４３】
これにより、外部画像処理装置２５から来訪者の顔画像データがＣＰＵ部４０ａを介して揮発性メモリデバイス６０に送信されて記憶される。このとき同時に、顔画像のうちどの色の部分の色を変更するかの変更対象色データが外部画像処理装置２５からＣＰＵデバイス４０の揮発性メモリ部４０ｃに送信されて記憶される。
【００４４】
そして、ＣＰＵ部４０ａは揮発性メモリデバイス６０にアクセスして顔画像データを読み込み、ドライバＩＣ３０に顔画像データが送信され、ドライバＩＣ３０から表示信号が液晶表示部２０に送信されて静止状態の基本顔画像が表示される。
【００４５】
本実施形態では、青色の画素（背景部）の色を変更するので、青色データ（階調データ）がＣＰＵデバイス４０の揮発性メモリ部４０ｃに入力される。
【００４６】
つまり、ＩＤカード１ａの揮発性メモリ部６０に記憶された画像データは、色変更される変更対象色データ（本実施形態では青色データ）と色変更されない非変更色データから構成され、非変更色データは変更対象色データと異なる色情報（本実施形態では青色以外の色データ）に設定される。このようにして、外部画像処理装置２５からＣＰＵデバイス４０に変更対象色データが入力されて変更対象の色が予め決められる。
【００４７】
なお、ＲＦＩＤカードとする場合は、非接触通信によって外部画像処理装置２５のリーダ／ライタ（不図示）から顔画像データや変更対象色データをＩＤカード１内に取り込むことも可能である。また、セキュリティを強化する場合は、ＩＤカード１に専用の識別コードをもたせ、ＩＤカード１から送られてきた識別コードが外部画像処理装置２５内のコードと合致するかどうか照合して書き込みＯＫかＮＯかを判定してもよい。
【００４８】
このようにして、図５に示すように、顔画像Ｐが表示されたＩＤカード１ａ（入館証）が来訪者に発行される。
【００４９】
本実施形態のＩＤカード１ａでは、液晶表示部２０に来訪者の顔画像Ｐが表示されるので、展示場内の第三者はカード着用者が本人であることを容易に確認することができる。
【００５０】
次いで、ステップＳ３において、来訪者がそのＩＤカード１ａを着用して受付から各ブースに移動する。次いで、ステップ４において、ＩＤカード１ａの外部信号受信部７０が各ブースに設置されたゲートから発信される外部信号を無線で受信する。
【００５１】
この外部信号がＣＰＵデバイス４０に送信され、ＣＰＵデバイス４０は外部信号に対応して変更対象色データを特定の色データに変換する色変更制御プログラムを実行する。つまり、ＣＰＵデバイス４０は各種の色の色変更制御プログラムをもっており、外部信号の種類によって何色の色変更制御プログラムを実行するかを判断する。本実施形態では、顔画像の青色部を赤色に変更するので、ＣＰＵデバイス４０は、外部信号に応じて予め決められた変更対象色データ（青色データ）を赤色データに変更する色変更制御プログラムを実行する。
【００５２】
まず、ＣＰＵ部４０ａが揮発性メモリデバイス６０にアクセスして液晶表示部２０に表示される顔画像の全て画像データを読み込む。図６に示すように、液晶表示部２０の各画素２２は、Ｒ（赤色）画素部２２Ｒ、Ｇ（緑色）画素部２２Ｇ、及びＢ（青色）画素部２２Ｂから構成され、各画素２２のカラー表示は、Ｒ，Ｇ，Ｂの色ごとに明るさが調節されることで様々な明るさの色が表現される。
【００５３】
表現できる色数は、各色（Ｒ，Ｇ，Ｂ）に割り当てられた容量によって異なり、各色（Ｒ，Ｇ，Ｂ）に４ビットがそれぞれ割り当てられて４０９６色を表現する場合は、青色を発する画素の青色データは（R(0000), G(0000), B(1111)）の画像データ（階調データ）として揮発性メモリデバイス６０に記憶されている。
【００５４】
そして、ＣＰＵ部４０ａの色変更制御プログラムが実行されて、揮発性メモリデバイス６０内の全画像データのうち、青色データ（R(0000), G(0000), B(1111)）が赤色データ（（R(1111), G(0000), B(0000)）に変更される。基本顔画像の背景部以外の色は青色以外に設定されているので、結果的に背景部の画像データのみが青色データから赤色データに変更され、更新された顔画像データが揮発性メモリデバイス６０に記憶される。
【００５５】
そして、ＣＰＵ部４０ａは、再度、揮発性メモリデバイス６０内の更新された顔画像データを読み込み、ドライバＩＣ３０に顔画像データを送信し、ドライバＩＣ３０から液晶表示部２０に表示信号が送信される。
【００５６】
これにより、図７に示すように、青色の各画素（背景部）のみが赤色に変更されて、背景部が赤色となった顔画像ＰＸが液晶表示部２０に表示される。このようにして、外部信号に基づいて、ＩＤカード１ａに表示される顔画像のうちの背景部の色を変更することにより、セキュリティ対策を行いながら入場者の各種の管理を行うことができる。
【００５７】
例えば、ブースごとに顔画像の背景部を特定の色に変えて来訪者のジャンル（技術分野など）を見分けたり、ＲＦＩＤカードを適用することにより各ブースでの入場者数（入退者数）をカウントして入場管理することなども容易になる。
【００５８】
また、ＩＤカード１ａに顔画像データだけではなく、特定のブースへの入場許可情報（会社名、部署、氏名などを含む）を入力しておくことにより、あるジャンルのブースに入場許可されていない人がそのブースに入場した場合、入場許可された人と違う目立つ色の背景色に変化させてセキュリティ管理することなども可能になる。
【００５９】
なお、本実施形態では、顔画像のうち背景部の色を部分的に変更する例を示したが、人物部の頭髪、頬、目などの色を部分的に変更してもよい。
【００６０】
また、各ブースに入るときだけではなく、展示場内での各種のイベント（外部信号）に基づいて、ＣＰＵデバイス４０の色変更制御機能によって基本顔画像の一部の色を変更するようにしてもよい。
【００６１】
このように、本実施形態のＩＤカードでは、ＣＰＵデバイス４０の色変更制御機能によって基本顔画像の一部の色を変更できるので、揮発性メモリデバイス６０に一部の色が相互に異なる多数の顔画像データを全て記憶させておく必要はなく、所定のカラー表示の一つの又は数個の基本顔画像データのみを記憶させておけばよい。
【００６２】
１つの基本顔画像データのメモリ容量は、例えば４０９６色表示で縦１００画素×横１００画素の場合は１５ｋバイトとなり、この場合、２５６ｋビットのワンチップの揮発性メモリデバイス（ＤＲＡＭやＳＲＡＭなど）で十分である。このように、顔画像データが記憶される揮発性メモリデバイスのメモリ容量をカード基板に内蔵できる程度の容量に抑えることができるので、顔画像の一部の色を変更する機能をもつＩＤカードを容易に構成できるようになる。
【００６３】
本実施形態と違って、揮発性メモリデバイス６０に、相互に色の異なる顔画像データをｎ個記憶させる場合は、４０９６色表示で縦１００画素×横１００画素の場合は（１５ｋ×ｎ）バイトとなり、個数ｎが膨大になると小型・薄型のカード基板１に内蔵することは困難である。
【００６４】
次いで、ステップＳ５において、来訪者が帰る際にＩＤカード１ａを受付に返却することによってＩＤカード１ａが受付に回収される。本実施形態のＩＤカード１ａでは、ＣＰＵデバイス４０がタイマ機能部４０ｄを備え、そこに所定の使用期限が入力されているので、所定時間が経過すると電源が自動的に切れるようになっている。
【００６５】
これにより、液晶表示部２０が非表示になると共に、揮発性メモリデバイス６０に記憶された基本顔画像データが自動的に消去される。
【００６６】
従って、ＩＤカード１ａが不正に外部に持ち出された場合であっても、所定時間が経過すると液晶表示部２０が非表示になると共に、基本顔画像データが自動的に消去される。また、ＩＤカード１ａに専用の識別コードをもたせることにより、新たにデータを書き込む際には識別コードが必要となるので、専用のデータ処理システム以外では書き込みが困難になる。これにより、ＩＤカード１ａが盗難されたり、拾得物となったとしても、第三者に不正使用されて悪用されることが防止される。
【００６７】
本実施形態では、表示装置としてＩＤカード（電子カード）を例に挙げて説明したが、静止画像を表示する各種のカード状の携帯可能端末や大容量のメモリデバイスを実装することが困難な小型・薄型の表示機能付電子機器に適用することができる。また、液晶表示部から顔画像だけではなく、各種画像を表示させ、外部信号によって画像の一部の色を変えることにより、各種の管理を行うことができる。
【図面の簡単な説明】
【００６８】
【図１】図１は本発明の実施形態のＩＤカードの構成を示す概略図である。
【図２】図２は本発明の実施形態のＩＤカードに設けられたＣＰＵデバイスの構成を示す概略図である。
【図３】図３は本発明の実施形態のＩＤカード（入館証）の運用方法を示すフローチャートである。
【図４】図４は本発明の実施形態のＩＤカードにデータを入力するための外部画像処理装置を示す模式図である。
【図５】図５は本発明の実施形態の発行されたＩＤカード（入館証）の外観の様子を示す平面図である。
【図６】図６は本発明の実施形態のＩＤカードの液晶表示部の各画素の様子を示す平面図である。
【図７】図７は図５のＩＤカードに表示された顔画像の背景部の色が変化した様子を示す平面図である。
【符号の説明】
【００６９】
１，１ａ…ＩＤカード（表示装置）、５ａ〜５ｅ…配線、６ａ，６ｂ…外部接続配線、１０…カード基板、１２…外部接続電極（外部通信手段）、１４…充電用電極、２０…液晶表示部、２２…画素、２２Ｒ…Ｒ（赤色）画素部、２２Ｇ…Ｇ（緑色）画素部、２２Ｂ…Ｂ（青色）画素部、２５…外部画像処理装置、２６…入出力部、３０…ドライバＩＣ、４０…ＣＰＵデバイス、４０ａ…ＣＰＵ部、４０ｂ…不揮発性メモリ部、４０ｃ…揮発性メモリ部、４０ｄ…タイマ機能部、４０ｅ…電源スイッチ回路、５０…電源部、６０…揮発性メモリデバイス、Ｐ，ＰＸ…顔画像。
【図１】
2008200949.tif 000003
【図２】
2008200949.tif 000004
【図３】
2008200949.tif 000005
【図４】
2008200949.tif 000006
【図５】
2008200949.tif 000007
【図６】
2008200949.tif 000008
【図７】
2008200949.tif 000009